(57)【要約】      （修正有）【課題】従来技術の不利な点を避けながら特にウィンタースポーツの活動のために手袋をさらに改善することである。特に、氷と雪からの保護を簡単に成して操作できるようにし、手首の領域も守り、さらに、使わない時に手袋を完全に密閉する。【解決手段】特に、能動的な、優先的にウィンタースポーツの活動を行うために構成されており、氷と雪からの保護を簡単に可能にしなければならず、手首の領域も守り、さらに、使わない時に手袋を大幅に完全にまで密閉する手袋に関する。手袋（１）は、手首の領域（８）が直接続く手領域を含み、手首の領域（８）は、内部末端部（２）を備えた開口部を有し、さらに、組紐（３）が、引っ張ることができるように配置され、安全帯（５）と繋がっている。【選択図】図３
2018076631.tif 000002
【特許請求の範囲】
【請求項１】
特に、能動的な、優先的にウィンタースポーツの活動を行うために構成されており、手首の領域（８）が直接続く手領域（７）を含む手袋であって、
手首の領域（８）は、肘の方向に手袋の末端部まで広がり、内部末端部（２）を備えた開口部を有しており、組紐（３）が、引っ張ることができるように配置され、安全帯（５）と繋がっていることを特徴とする手袋。
【請求項２】
組紐（３）は、内部末端部（２）に、または、手袋（１）の外面の上に、配置されていることを特徴とする、請求項１に記載の手袋。
【請求項３】
安全帯（５）の固定していない一端は、帯状ループ（９）として形成されていることを特徴とする、請求項１または２に記載の手袋。
【請求項４】
安全帯（５）の帯状ループ（９）は、弾性があるまたは幅が調節できるように形成されていることを特徴とする、請求項１から３までのいずれか１項に記載の手袋。
【請求項５】
組紐（３）は、組紐トンネル（４）内で可動なように配置されていることを特徴とする、請求項１から４までのいずれか１項に記載の手袋。
【請求項６】
手の根元の領域に、調節できるループ（６）が備えられていることを特徴とする、請求項１から５までのいずれか１項に記載の手袋。
【発明の詳細な説明】
【技術分野】
【０００１】
本発明は、特に、能動的な、優先的にウィンタースポーツの活動を行うために構成されている手袋に関する。
【背景技術】
【０００２】
手袋は、夏季スポーツおよびウィンタースポーツに使われる。手袋は、一方ではスポーツ活動を行うときに手を傷から守り、および／または、スポーツ用具、例えばステッキやスキーのストックの優れた接触を可能にしなければならない。
【０００３】
例えば、ＷＯ２００６０６６４２４Ａ１による、手保持装置としての手袋には、手袋をポールグリップのフック状機構に固定することに適した、親指と人差し指の間の可動のループが備えられている。フック状機構の領域には、リング状あるいはアイレット状の装置が手袋においてフック状機構に固定されているように、ロック手段が配置されている。ＥＰ０９１９１４７Ｂ１による他の実施形態では、ループは調節可能であり、さらに、ループに対して角度をつけて配置されたプルエレメントを有する。
【０００４】
１つのさらなるこのような手袋（ＤＥ２０１１９２８３Ｕ１）では、親指と人差し指の間のループは引き締め可能なバンドとして形成されており、当該バンドは、手袋を手の周囲に張り付けるために、例えば面ファスナーで引き締めて固定できる。
【０００５】
ＡＴ００８１２１Ｕ１によるゴルフ用手袋では、ゴルフのクラブを縛り付けながらバンドを手のひらに締めることができる。
【０００６】
さらに、特に冬季の運動活動あるいはウィンタースポーツでは、ループで寒さおよび雪もしくは氷からの保護を成さなければならない。しかし、雪と氷はループまで入り込み、そこで溶けることがある。
【先行技術文献】
【特許文献】
【０００７】
【特許文献１】国際公開第２００６／０６６４２４号
【特許文献２】独国実用新案第２０１１９２８３号明細書
【特許文献３】墺国実用新案第００８１２１明細書
【発明の概要】
【発明が解決しようとする課題】
【０００８】
本発明の課題は、従来技術の不利な点を避けながら特にウィンタースポーツの活動のために手袋をさらに改善することである。特に、氷と雪からの保護を簡単に成して操作できるようにし、手首の領域も守り、さらに、使わない時に手袋を大幅に完全にまで密閉しなければならない。
【課題を解決するための手段】
【０００９】
この課題は、請求項１の特徴により解決される。本発明の手袋は、手あるいは手の主要部の領域と、これに続く、肘の方向に手袋の末端部まで広がる、手首のための領域とを含む。
【００１０】
本発明によれば、手首の領域は内部末端部を備えた開口部を有し、内部末端部には、引っ張ることあるいは縮めることができるように組紐が配置されている。一方、この組紐は、安全帯に繋げられており、好ましくは、この安全帯の、固定していない一端は、手首に付けられている。
【００１１】
好ましい実施形態は従属請求項に開示されている。
【００１２】
好ましくは、安全帯の固定していない一端は、弾性があるまたは幅が調節できる、帯状ループとして形成されている。
【００１３】
上記組紐は、手首のための領域において、好ましくは手袋の内部にある組紐トンネル内で可動なように、配置されている。しかしながら、手袋外面の上でのトンネル引きの配置も可能である。
【００１４】
さらに、手袋は、手袋ができるだけ滑らずに手を包むように、手の根元の領域に、調節できるループが備えられていることができる。
【００１５】
特に、手袋が使われていないときには、例えば、手袋が安全帯によって手首からぶら下がっているときには、組紐は引っ張って縮められる。その際に、内部末端部の開口部は、雪または氷が手袋に入れないようになるまでおよび／または手袋が早く冷え切ることがないようになるまで縮小される。
【００１６】
本発明の手袋は、好ましくは、従来の手袋用材料から製造される。
【図面の簡単な説明】
【００１７】
本発明は以下に実施形態で図面に基づいてより詳細に説明される。
【図１】本発明の手袋を示す。
【図２】図１による手袋の開口部を示す。
【図３】図２による開口部の閉鎖運動の描写を示す。
【図４】本発明の手袋の閉じた開口部を示す。
【発明を実施するための形態】
【００１８】
本発明の手袋１は、図１による実施形態では、手領域７あるいは手の主要部と、それに続く、肘の方向に手袋の末端部まで広がる、手首のための領域８とを含む。
【００１９】
本発明によれば、手首の領域８は内部末端部２を備えた開口部を有し、内部末端部２には、引っ張ることあるいは縮めることができるように組紐３が配置されている。組紐３は、手首のための領域８において、３６０°に延びる組紐トンネル４内で可動なように、配置されており、組紐トンネル４は、模範的には手袋１の内部に、すなわち、内部末端部２の上にある（図１および図２）。手袋１の外縁からの距離は、例えば、約３〜４ｃｍである。
【００２０】
一方、組紐３は安全帯に繋げられており、この安全帯の、固定していない一端が、例えば弾性の帯状ループ９の形で手首に付けられる（図１ないし図３）。
【００２１】
安全帯５およびそれに繋がっている組紐３を引っ張ることによって、手袋１の内部にある組紐の引き物が縮まり（図３）、手袋１あるいは内部末端部２の開口部が縮まる（図４）。
【００２２】
特に、手袋１が使われていないときには、例えば、手袋１が安全帯５で支持されて手首からぶら下がっているときには、組紐３は引っ張って縮められる。組紐トンネル４は絞られている。
【００２３】
その際に、内部末端部２の開口部は、雪または氷が手袋１に入れないようになるまでおよび／または手袋１が早く冷え切るかまたは濡れることがないようになるまで縮小される。
【００２４】
さらに、手袋１は、手袋ができるだけ滑らずに手を包むように、手の根元の領域に、調節できるループ６が備えられている。ループ６は、手袋１の閉鎖、あるいは、手指の根元の関節における手袋１の幅の調節に使われる。
【符号の説明】
【００２５】
１  手袋
２  内部末端部
３  組紐
４  組紐トンネル
５  安全帯
６  ループ
７  手領域
８  手首の領域
９  帯状ループ
【図１】
2018076631.tif 000003
【図２】
2018076631.tif 000004
【図３】
2018076631.tif 000005
【図４】
2018076631.tif 000006